(57)【要約】【課題】ビンゴマシーンや数字が記載されたボールが入った容器を使用せずにビンゴゲームができ、ビンゴゲーム以外にも使用できる。【解決の手段】縦、横に基盤目状の列ができているビンゴカードで分割されたスペースには、トランプのマーク（ハート、ダイヤ、クローバー、スペード）とトランプの数字が同スペースに記載され、ランダムに記載されている。また、縦列や横列をそれぞれ特定できるように基盤目状に分割された文字列の上下、側面に記号やトランプのマークなどを記載するビンゴカード。【選択図】    図５
2004255145.tif 000002
【特許請求の範囲】
【請求項１】
縦、横に碁盤目状の列ができているビンゴカードで、分割されたスペースには、トランプの各マーク（ハート、ダイヤ、クローバー、スペード）とトランプの各数字（１〜１０、Ｊ、Ｑ、Ｋ）が同スペースに記載され、そのトランプのマークと数字が同スペースに記載されたものが、ランダムに記載されているビンゴカード。
【請求項２】
縦列や横列をそれぞれ特定できるように碁盤目状に分割された文字列の上下、側面に記号やトランプマークなどを記載するビンゴカード。
【発明の詳細な説明】
【０００１】
【発明の属する技術分野】
本発明は、多人数、少人数で遊べビンゴゲーム以外にも使用できるビンゴゲーム用カードに関するものである。
【０００２】
【従来の技術】
従来は、パーティー会場などで参加者にビンゴカードを配り、特定のビンゴマシーンや数字が記載されたボールが中の見えない容器に入っているものを使用し、ボールを容器から１つずつ取り出し、ボールに記載されている数字を発表し、手持ちのビンゴカードに同じ数字があれば指で折り曲げていき、折り曲げた所が縦、横、斜めに早く並んだ人から勝っていくものである。なお、従来のビンゴカードには、数字（例、Ｎｏ１〜Ｎｏ７５）がランダムに記載されているだけで、ビンゴゲームにしか使うことができなかった。
【０００３】
【発明が解決しようとする課題】
しかし、従来のビンゴゲームは、パーティー会場などで特定のビンゴマシーンや、数字が記載されているボールが入っている容器といった大掛りな道具が必要で、ボールを１つずつ取り出し発表してゲームが進行していき、従来のビンゴカードには、数字が（例、Ｎｏ１〜Ｎｏ７５）ランダムに記載されているだけで、ゲーム方法が多人数で使用するものであり、少人数ではあまり楽しめなく、ビンゴゲームとしてしか使用できなかった。本発明は、これらの欠点を解決するために発明されたものである。
【０００４】
本発明は、ビンゴマシーンや数字が記載されているボールが入っている容器を使用せず、ゲームを楽しむことができるビンゴカードを提供する。また、ビンゴゲームだけでなく、少人数でも楽しむことができるビンゴカードを提供する。
【０００５】
【課題を解決するための手段】
本発明は、縦、横に碁盤目状の列に分割され、基本形は５×５に分割されるビンゴカードで、碁盤目状（例、５×５）の中央をＦＲＥＥ又はジョーカーのスペースにしてもしなくてもどちらでもよい。
【０００６】
本発明は、碁盤目状に分割されるスペースに、トランプの各マーク（ハート、ダイヤ、クローバー、スペード）とトランプの各数字（１〜１０、Ｊ、Ｑ、Ｋ）が同スペースに記載され、（これ以降「トランプの各マークと各数字が同スペースに記載されているもの」を「マーク数字」と記載する）１枚のビンゴカードには、同じマーク数字が記載されないようにする。
【０００７】
本発明は、碁盤目状に分割されるスペースに、マーク数字がランダムに記載される。
【０００８】
本発明は、縦列や横列をそれぞれ特定できるように、碁盤目状に分割された文字列の上下、側面などに記号やトランプマークが記載されている。
【０００９】
【本発明の実施の形態】
以下、図面に基づき本発明の好ましい実施形態を説明する。図１、図５のビンゴカード１は、縦、横（例、５×５）の碁盤目状の列に、マーク数字２がランダム（順序なし、同じマーク数字なし）に記載されている。また、マーク数字２やトランプの数字には逆Ｕ字状のミシン線の切り込み３が設けられている。
【００１０】
図１の使用方法は、従来のビンゴカードのようにパーティー会場等で参加者にビンゴカードを手渡し使用するが、従来のようにビンゴゲーム用のビンゴマシーンや数字が記載されたボールが入った容器を用意せずに、手軽に持ち運べるトランプを使用する。まず、ビンゴカード１を配られた人は、中央のＦＲＥＥ又はジョーカー４を指で折り曲げる。トランプをシャッフルし、場に置いて１枚ずつめくりトランプのマークと数字を発表していき、発表されたマークと数字（マーク数字２）が手持ちのビンゴカード１にあれば指で折り曲げていき、縦、横、斜めが早く揃った人から勝っていく。また、トランプを場に置くのではなく、トランプマジックなどをしながらビンゴゲームを進めていくとよりいっそう楽しめる。
【００１１】
図２は、横列を１列ずつハート、ダイヤ、クローバー、スペードと分け１列ごとにトランプの数字又は、一列が同じマークのマーク数字２をランダムに記載し、フリーライン６はトランプのマークどれか１つを記載しておくか、任意でトランプのマークを入れてもよい。（これ以降「ハート、ダイヤ、クローバー、スペード」をトランプマーク５と記載する）なお、トランプマーク５の列もランダムに並べてもよい。
【００１２】
図２の使用方法は、ビンゴカード１を２人以上に配り、まず順番を決め１人ずつ手持ちのビンゴカードにないマーク数字２を１つ発表していく。他の人は読み上げられたマーク数字２が手持ちのビンゴカードにあれば、指で折り曲げていく。順番にゲームを進行し縦、横、斜めが早く揃った人から勝者である。
【００１３】
図３は、縦列を１列ずつトランプマーク５ごとに分け、縦列にはトランプの各数字（１〜１０、Ｊ、Ｑ、Ｋ）又は、一列が同じマークのマーク数字２がランダムに記載されている。なお、トランプマーク５の列もランダムに並べてよい。また、フリーライン６を設けてもよい。
【００１４】
図３の使用方法は、ビンゴカード１を２人以上に配り、まず順番を決め１人ずつ手持ちのビンゴカードにないマーク数字２を１つ発表していく。他の人は読み上げられたマーク数字２が手持ちのビンゴカードにあれば指で折り曲げ、マーク数字２が横、斜めに揃った人から勝ち抜け、同時に揃った人がいたら、また同じゲームをする。
【００１５】
図４は、トランプマーク５が異なる同じ数字が２つで１組となり、その数組がカードにランダムに記載されている。碁盤目状の列の数は、変動してもよい。（例、図４は、碁盤目状に列を４×４であらわしている。）
【００１６】
図４の使用方法は、マーク数字２の面を裏にして、各マーク数字２を２枚表にしていき同じ数字が出たらその１組は自分のものになり、また同じゲームをし、２枚の数字が異なったら表にした数字を裏にして、次の人にゲームをする権利が行く。順番にゲームをし、最後に２枚の数字を揃えた数の多い人が勝者である。
【００１７】
図５は、碁盤目状の列５×５全てにマーク数字２が記載されている。碁盤目状に並ぶマーク数字２の文字列の側面には、縦列、横列が特定できるように記号７（例、縦列Ａ〜Ｅ、横列１〜５）が記載されている。
【００１８】
図５の使用方法は、２人以上の参加者にビンゴカード１を配り順番を決め、自分が揃えたいマーク数字２の場所を記号７を使って発表する（例、Ｂの３のように）。順番に発表していき発表された場所を指で折り曲げていく。マーク数字２の場所が５ヶ所発表されたら指で折り曲げたマーク数字２を見て、トランプゲームのポーカーの役で勝負を決める。
【００１９】
図５の第２使用方法は、２人以上の参加者にカードを配り順番を決め相手のカードの縦列、横列どの列と勝負をしたいかを記号７を使って順番に指定していき、指定し終わったら全員カードを表に向け指定された列のマーク数字２を見てトランプゲームのポーカーの役で勝負を決める。
【００２０】
本発明は、上記各実施形態に限定されることなく種々の変更が可能である。例えば、記号７は（縦列Ａ〜Ｅ、横列１〜５）と限定されることはない。
【００２１】
【本発明の効果】
以上説明したように、ビンゴゲーム用のビンゴマシーンや数字が記載されたボールが入った容器を使用することがなく、トランプを使用することで手軽にビンゴゲームができ、トランプゲームやトランプマジックをしながらビンゴゲームもできる。また、ビンゴゲーム以外の少人数で楽しめるゲームもできる。
【図面の簡単な説明】
【図１】図１は、本発明の第１実施形態の平面図
【図２】図２は、本発明の第２実施形態の平面図
【図３】図３は、本発明の第３実施形態の平面図
【図４】図４は、本発明の第４実施形態の平面図
【図５】図５は、本発明の第５実施形態の平面図
【符号の説明】
１ビンゴカード
２マーク数字
３逆Ｕ字状ミシン線の切り込み
４ＦＲＥＥ又はジョーカー
５トランプマーク
６フリーライン
７記号
【図１】
2004255145.tif 000003
【図２】
2004255145.tif 000004
【図３】
2004255145.tif 000005
【図４】
2004255145.tif 000006
【図５】
2004255145.tif 000007